(57)【要約】【課題】複数の電線等を結束状態で基板に装着する際に、作業性の良好な結束保持具を提供する。【解決手段】  固定板１上に電線６の結束バンド５の下端を固定し、固定板１の後部に前向きのフック１０を有する本止め係止部９を、固定板１の後端には、本止め係止部９より低く且つ後ろ向きのフック１３を有する仮止め係止部１２を突設し、上記結束バンド５には略全長に亘って仮止め係止部１２のフック１３又は本止め係止部９のフック１０に係合する多数の係止孔８を穿設し、上記本止め係止部９の下端に、結束バンド５を通過させる貫通孔１１を形成したものである。【選択図】図１
0003133076.tif 000002
【実用新案登録請求の範囲】
【請求項１】
固定板上に結束バンドの下端を固定し、固定板の後部に前向きのフックを有する本止め係止部を、固定板の後端には、本止め係止部より低く且つ後ろ向きのフックを有する仮止め係止部を突設し、上記結束バンドには略全長に亘って仮止め係止部のフック又は本止め係止部のフックに係合する多数の係止孔を穿設し、本止め係止部の下端には、結束バンドの先端を通過させる貫通孔を形成したことを特徴とする結束保持具。
【請求項２】
固定板上に結束バンドの下端を固定し、固定板の後部に前向きのフックを有する本止め係止部を、固定板の後端には、本止め係止部より低く且つ後ろ向きのフックを有する仮止め係止部を突設し、上記結束バンドには略全長に亘って仮止め係止部のフック又は本止め係止部のフックに係合する多数の係止孔を穿設し、結束バンドの下端及び本止め係止部の下端には、結束バンドの先端を通過させる貫通孔を形成したことを特徴とする結束保持具。
【考案の詳細な説明】
【技術分野】
【０００１】
本考案は、例えば、ゲーム機の基板の裏面に配線する際に使用する結束保持具に係り、特に、複数の電線を結束状態で基板に装着する際の作業性を良好としたものに関する。
【背景技術】
【０００２】
例えば、ゲーム機の基板の裏面には、ゲーム機を作動させる種々の電子機器が配置されており、各電子機器を結線する電線等が多数配線されており、それらの配線を結束状態で装着するために、プラスチック製の結束保持具が使用されている。
【０００３】
この結束保持具は、基板に固定する固定板の一側に電線の結束バンドを突設し、固定板の他側に係止部を突設し、上記結束バンドには略全長に亘って多数の係止孔を形成し、上記係止部には前向きのフックを設け、且つ下端には結束バンドの先端を通過させる透孔を形成している。
【０００４】
例えば、ゲーム機の基板に多数本の電線を配線する場合、固定板を粘着テープとかネジを用いて基板に固定し、固定板上に置いた多数本の電線を上方より覆うように結束バンドを重ねた後、この結束バンドの先端部を係止部に設けた貫通孔から後方へ通過させ、固定板の後方へ伸びた結束バンドの先端部を強く引き上げ、係止孔を係止部のフックに係止させて複数本の電線を結束し、基板に保持していた。
【０００５】
この従来の結束保持具は、一旦結束した電線を増減したり、配置変えしたりして配線状態を変更しようとする際は、係止部に強固に係止されている結束バンドの係止孔をフックから外すのが困難であり、作業性が極めて悪かった。
【考案の開示】
【考案が解決しようとする課題】
【０００６】
本考案はこのような点に基づいてなされたものであってその目的とするところは、複数の電線等を結束状態で基板に装着する際の作業性を良好とすることができる結束保持具を提供することにある。
【課題を解決するための手段】
【０００７】
上記の目的を達成するべく本考案の請求項１による結束保持具は、固定板上に結束バンドの下端を固定し、固定板の後部に前向きのフックを有する本止め係止部を、固定板の後端には、本止め係止部より低く且つ後ろ向きのフックを有する仮止め係止部を突設し、上記結束バンドには略全長に亘って仮止め係止部のフック又は本止め係止部のフックに係合する多数の係止孔を穿設し、本止め係止部の下端には、結束バンドの先端を通過させる貫通孔を形成したことを特徴とするものである。
【０００８】
上記請求項１の結束保持具は、固定板を基板に粘着材又はねじを用いて固定し、この固定板上に結束しようとする電線を載置した後、電線上に彎曲させた結束バンドの先端を本止め係止部の貫通孔に挿入し、後方へ略水平に引っ張って仮止め係止部上を通過させた後、その手を緩めると、結束バンドは復元力により僅かに後退して仮止め係止部の後向きのフックに係止孔が係合し、電線は結束バンドにより仮止めされる。配線状態を確認した後、結束バンドの先端を後方へ軽く引っ張って後向きのフックから係止孔を離脱し、貫通孔を通過している結束バンドの先端部を貫通孔の後端縁に沿って強く引き上げて、仮止め時の係止孔より下位の係止孔を本止め部の前向きのフックに係止させると、固定板上の多数本の電線は結束バンドにより押圧されて結束状態となり、基板に保持されるのである。
【０００９】
また電線を仮止めした状態において、配線を変更しようとする場合、固定板の後方に伸びている先端部を後方に軽く引っ張り、後向きのフックから係止孔を外し、結束バンドの先端部を貫通孔から引き抜いて、配線のやり直しをするのである。
【００１０】
請求項２の考案は、固定板上に結束バンドの下端を固定し、固定板の後部に前向きのフックを有する本止め係止部を、固定板の後端には、本止め係止部より低く且つ後ろ向きのフックを有する仮止め係止部を突設し、上記結束バンドには略全長に亘って仮止め係止部のフック又は本止め係止部のフックに係合する多数の係止孔を穿設し、結束バンドの下端及び本止め係止部の下端には、結束バンドの先端を通過させる貫通孔を形成したことを特徴とするものである。
【００１１】
上記請求項２の結束保持具は、固定板を基板に粘着材又はねじを用いて固定し、その上に結束しようとする多数本の電線を載置した後、この多数本の電線を巻き込んだ結束バンドの先端を結束バンドと本止め係止部との貫通孔に挿入し、仮止め係止部上を通過させた後、その手を緩めると、結束バンドは復元力により僅かに後退して仮止め係止部の後向きのフックに係止孔が係合し、電線は結束バンドにより仮止めされる。配線状態を確認した後、固定板の後方に突出した先端を後方へ軽く引っ張って後向きのフックから係止孔を離脱し、本止め係止部の貫通孔を通過している結束バンドの先端部を貫通孔の後端縁に沿って強く引き上げて、結束バンドにより電線を巻き締めし、仮止め時の係止孔より下位の係止孔を本止め係止部の前向きのフックに係止させると、固定板上の多数本の電線は外周を結束バンドにより確実に結束され、基板に保持されるのである。
【００１２】
また、電線を仮止めした状態において、配線を変更しようとする場合、固定板の後方に伸びている先端を後方に軽く引っ張り、後向きのフックから係止孔を外し、本止め係止部の貫通孔、及び結束バンドの貫通孔から結束バンドの先端部を引き抜いて、配線のやり直しをするのである。
【００１３】
このように請求項１の結束保持具は、固定板上に重ねた多数本の電線を、結束バンドにより固定板に押圧して結束する方式である。これに対し請求項２の結束保持具は、固定板上に重ねた多数本の電線の外周を結束バンドにより一巻きして結束する方式である。
【考案の効果】
【００１４】
本考案の請求項１及び請求項２の結束保持具は、固定板上の結束バンドの後側に、フックが手前に向いた本止め係止部を設け、その後側にフックが後ろ向きの仮止め係止部を設けたから、固定板上の電線を覆った結束バンドの先端部を、本止め係止部の下端の貫通孔、又は結束バンドの下端と本止め係止部の下端の貫通孔に挿入し、後方に引っ張るだけで係止孔を仮止め係止部のフックに係止させ、容易に仮止めをすることができる。また、この仮止め状態において、結束バンドを後方に軽く引っ張れば、係止孔を後向きのフックから容易に離脱し、配線を変更することができる。よって、複数の電線等を結束状態で基板に装着する際の作業性を極めて良好とすることができる。
【考案を実施するための最良の形態】
【００１５】
以下、図１乃至図４を参照して本考案の第１の実施の形態を説明する。図１は本実施の形態の結束保持具の斜視図であり、図２は同上結束保持具の正面図であり、図３は同上縦断側面図であり、図４は同上電線の仮止め状態を示す縦断面図であり、図５は同上電線の本止め状態を示す縦断面図である。
【００１６】
図中の符号１は固定板であり、下面には剥離紙２により被覆された粘着材層３を設け、中央部にはネジの差込み孔４を設けている。符号５は梯子状に形成した電線６の結束バンドであり、二股上に下端を固定板１の前端に固定し、上端には舌片７を設け、略全長に亘って多数の係止孔８を形成している。
【００１７】
符号９は固定板１の後部に、後方へ傾斜した状態で突設した本止め係止部であり、上端には上記係止孔８を係合して、結束バンド５を本止めする前向きのフック１０を設け、下端には上記結束バンド５の貫通孔１１を形成している。
【００１８】
符号１２は固定板１の他端に、僅かな高さで突設した仮止め係止部であり、上端には上記係止孔８を係合して、結束バンド５を仮止めする後ろ向きのフック１３を設けている。尚、符号Ｋはゲーム機等の基板である。
【００１９】
上記実施形態の結束保持具は、図２，図３に鎖線で示すように、固定板１を粘着材層３により基板Ｋに固定した後、固定板１上に電線６を重ね、結束バンド５を彎曲させて、先端の舌片７を本止め係止部９の貫通孔１１に挿入するとともに、固定板１の後方に引っ張り、その引張り力を緩めると、彎曲した結束バンド５の復元力により先端部が後退し、係止孔８が仮止め係止部１２のフック１３に係合して、図４に示すように仮止め状態となる。
【００２０】
この仮止めの後、配線を変更する必要がないときは、結束バンド５の舌片７を軽く後方へ引っ張って、係止孔８をフック１３から離脱し、本止め係止部９の貫通孔１１を通過している結束バンド５の先端部を貫通孔１１の後端縁の位置で屈曲させながら強く引き上げ、仮止め時の係止孔８より下位の係止孔８を本止め係止部９における前向きのフック１０に係止させると、固定板１上の電線６は図４に示すように固定板１と結束バンド５とにより確実に結束され、基板Ｋに保持される。
【００２１】
また、電線を仮止めした状態において、配線数を変更しようとする場合、固定板１の後方に伸びている先端を後方に軽く引っ張り、後向きのフック１３から係止孔８を外し、本止め係止部９の貫通孔１１から結束バンド５の先端部を引き抜いて、また、配線の配置変えをしようとする場合、同様に固定板１の後方に伸びている先端を後方に軽く引っ張り、後向きのフック１３から係止孔８を外し、結束バンド５を緩めて配線のやり直しをするのである。
【００２２】
以上本実施の形態によると次のような効果を奏することができる。固定板１上の結束バンド５の後側に、フック１０が手前に向いた本止め係止部９を設け、その後側にフック１３が後ろ向きの仮止め係止部１２を設けたから、固定板１上の電線６を覆った結束バンド５の先端部を、本止め係止部９の下端の貫通孔１１に挿入し、後方に引っ張るだけで係止孔８を仮止め係止部１２のフック１３に係止させ、容易に仮止めをすることができる。また、この仮止め状態において、結束バンド５を後方に軽く引っ張れば、係止孔８を後向きのフック１３から容易に離脱し、配線を変更することができる。よって、複数の電線等を結束状態で基板Ｋに装着する際の作業性を極めて良好とすることができる。
【００２３】
次に、図６乃至図１１を参照して本考案の第２の実施の形態を説明する。図６は本実施の形態の結束保持具の斜視図であり、図７は同上結束保持具の正面図であり、図８は同上縦断側面図であり、図９は同上固定板上に電線を重ねた状態を示す縦断面図であり、図１０は同上仮止め状態を示す縦断面図であり、図１１は同上本止め状態を示す縦断面図である。
【００２４】
図中の符号２１は固定板であり、下面には剥離紙２２により被覆された粘着材層２３を設け、中央部にはネジの差込み孔２４を設けている。符号２５は梯子状に形成した電線２６の結束バンドであり、前方に彎曲させた二股状の下端を固定板２１に固定して結束バンドの先端を通過させる貫通孔２５ａを形成している。また、二股状の下端は、固定板２１の左右両側に沿って前端まで延長して電線２６を支持する左右一対の突縁２５ｂを形成している。更に、結束バンド２５の上端には舌片２７を設け、略全長に亘って多数の係止孔２８を形成している。
【００２５】
符号２９は固定板２１の他側に後方へ傾斜した状態で突設した本止め係止部であり、上端には上記係止孔２８を係合して、結束バンド２５を本止めする前向きのフック３０を設け、下端には上記結束バンド２５を通過させる貫通孔３１を形成している。
【００２６】
符号３２は固定板２１の他端に、僅かな高さで突設した仮止め係止部であり、上端には上記係止孔２８を係合して、結束バンド２５を仮止めする後ろ向きのフック３３を設けている。尚、符号Ｋはゲーム機等の基板である。
【００２７】
上記実施形態の結束保持具は、図７，図８に鎖線で示すように、固定板２１を粘着材層２３により基板Ｋに固定した後、図９に示すように、固定板２１上に電線２６を重ねると、電線２６は結束バンド２５の両突縁２５ｂ上に支持される。そして結束バンド２５を電線２６の上面より下側に彎曲させ、先端の舌片２７を左右両突縁２５ｂ間に形成された貫通孔２５ａに挿入し、更に、本止め係止部２９の貫通孔３１を貫通させて、仮止め係止部３２上を固定板２１の後方に引っ張って、その引張り力を緩めると、彎曲した結束バンド２５の復元力により先端部が僅かに後退し、係止孔２８が仮止め係止部３２のフック３３に係合して、図１０に示すように仮止め状態となる。
【００２８】
この仮止め状態の後、配線を変更する必要がないときは、結束バンド２５の爪片２７を軽く後方へ引っ張って、係止孔２８をフック３３から離脱し、貫通孔２５ａと貫通孔３１を通過している結束バンド２５の先端部を本止め係止部２９の後側面に沿って強く引き上げて、仮止め時の係止孔２８より下位の係止孔２８を本止め係止部２９の前向きのフック３０に係止させると、図１１に示すように、固定板２１上の電線２６はリング状に彎曲した結束バンド２５により確実に結束され、基板Ｋに保持される。
【００２９】
また、電線２６を仮止めした状態において、配線数を変更しようとする場合、固定板２１の後方に伸びている先端を後方に軽く引っ張り、後向きのフック３３から係止孔２８を外し、本止め係止部２９の貫通孔３１、及び結束バンド２５の貫通孔２５ａから結束バンド２５の先端部を引き抜いて、また、配線の配置変えをしようとする場合、同様に固定板２１の後方に伸びている先端を後方に軽く引っ張り、後向きのフック１３から係止孔８を外し、結束バンド２５を緩めて配線のやり直しをするのである。
【００３０】
以上本実施の形態によると次のような効果を奏することができる。固定板２１上の結束バンド２５の後側に、フック３０が手前に向いた本止め係止部２９を設け、その後側にフック３３が後ろ向きの仮止め係止部３２を設けたから、固定板２１上の電線２６を覆った結束バンド２５の先端部を、結束バンド２５の下端の貫通孔２５ａ及び本止め係止部２９の下端の貫通孔３１に挿入し、後方に引っ張るだけで係止孔２８を仮止め係止部３２のフック３３に係止させ、容易に仮止めをすることができる。また、この仮止め状態において、結束バンド２５を後方に軽く引っ張れば、係止孔２８を後向きのフック３３から容易に離脱し、配線を変更することができる。よって、複数の電線等を結束状態で基板Ｋに装着する際の作業性を極めて良好とすることができる。
【００３１】
尚、本考案は前記第１、第２の実施の形態に限定されるものではない。第１，第２の実施形態における結束バンド５，２５は、略全長に亘り、一定間隔の空間を保って係合子８，２８を形成したが、この係合子８，２８を、本止め係止部９，２９のフック１０，３０、仮止め係止部１２，３２のフック１３，３３の形状に合致する係止孔にする場合もある。
【産業上の利用可能性】
【００３２】
本考案は、ゲーム機の基板の裏面において配線される電線の結束保持に使用されるほか、各種の装置や建物の壁面等への各種線材の結束保持に使用することができ、結束する対象として、電線のほか、光ファイバーやエア配管等を結束保持する場合にも利用可能である。
【図面の簡単な説明】
【００３３】
【図１】本考案の第１の実施の形態を示す図で、結束保持具の斜視図である。
【図２】本考案の第１の実施の形態を示す図で、結束保持具の正面図である。
【図３】本考案の第１の実施の形態を示す図で、結束保持具の縦断側面図である。
【図４】本考案の第１の実施の形態を示す図で、電線の仮止め状態を示す縦断面図である。
【図５】本考案の第１の実施の形態を示す図で、電線の本止め状態を示す縦断面図である。
【図６】本考案の第２の実施の形態を示す図で、結束保持具の斜視図である。
【図７】本考案の第２の実施の形態を示す図で、結束保持具の正面図である。
【図８】本考案の第２の実施の形態を示す図で、結束保持具の縦断側面図である。
【図９】本考案の第２の実施の形態を示す図で、固定板上に電線を重ねた状態を示す縦断面図である。
【図１０】本考案の第２の実施の形態を示す図で、電線の仮止め状態を示す縦断面図である。
【図１１】本考案の第２の実施の形態を示す図で、電線の本止め状態を示す縦断面図である。
【符号の説明】
【００３４】
１，２１      固定板
２，２２      剥離紙
３，２３      粘着材テープ
４，２４      ネジの差込み孔
５，２５      結束バンド
６，２６      電  線
７，２７      舌  片
８，２８      係止孔
９，２９      本止め係止部
１０，３０    前向きのフック
１１，２５ａ，３１    貫通孔
１２，３２    仮止め係止部
１３，３３    後向きのフック
２５ｂ        突  縁
Ｋ            基  板
【図１】
0003133076.tif 000003
【図２】
0003133076.tif 000004
【図３】
0003133076.tif 000005
【図４】
0003133076.tif 000006
【図５】
0003133076.tif 000007
【図６】
0003133076.tif 000008
【図７】
0003133076.tif 000009
【図８】
0003133076.tif 000010
【図９】
0003133076.tif 000011
【図１０】
0003133076.tif 000012
【図１１】
0003133076.tif 000013